(57)【特許請求の範囲】
【請求項１】
カメラユニットを実装するカメラ基板と、
第一の面と当該第一の面に対向する第二の面とを跨ぐ第三の面に前記カメラ基板を固定し、表示部の縁部に設けられる額縁に裏面側から奥行き方向に挿入可能で前記カメラユニットを前記額縁の表面側に位置させる第一のホルダ部と、当該第一のホルダ部に対して、前記奥行き方向とは異なる方向に延在する第二のホルダ部と、で構成されるカメラホルダと、
前記カメラ基板と前記第三の面との間に介在可能な第一の熱伝導部と、当該第一の熱伝導部に連設され前記第二の面に沿う方向に延在する第１熱伝導面と当該第１熱伝導面に連設され前記第二のホルダ部に沿う方向に延在する第２熱伝導面とを含む第二の熱伝導部と、で構成される熱伝導部材と、
を備える、カメラモジュール組立体。
【請求項２】
前記熱伝導部材は、導電性材料で形成される、請求項１に記載のカメラモジュール組立体。
【請求項３】
前記第二の熱伝導部は、前記表示部を支持するシャーシと接続される、請求項１または請求項２に記載のカメラモジュール組立体。
【請求項４】
前記熱伝導部材は、前記第一の熱伝導部に連設され前記第一のホルダ部の前記第一の面に固定される第三の熱伝導部を、さらに備え、
前記第二の熱伝導部は、前記第１熱伝導面と前記第三の熱伝導部とで、前記第一のホルダ部を挟持する、請求項１から請求項３のいずれか１項に記載のカメラモジュール組立体。
【請求項５】
前記カメラユニットは、カメラ撮像用の発光部を含み、
前記発光部の照射面側の周囲を少なくとも覆うとともに、前記熱伝導部材に接続可能な接続部を備える熱伝導補助部材を備える、請求項１から請求項４のいずれか１項に記載のカメラモジュール組立体。
【請求項６】
表示部と、
カメラユニットを実装するカメラ基板と、
第一の面と当該第一の面に対向する第二の面とを跨ぐ第三の面に前記カメラ基板を固定し、前記表示部の縁部に設けられる額縁に裏面側から奥行き方向に挿入可能で前記カメラユニットを前記額縁の表面側に位置させる第一のホルダ部と、当該第一のホルダ部に対して、前記奥行き方向とは異なる方向に延在する第二のホルダ部と、で構成されるカメラホルダと、
前記カメラ基板と前記第三の面との間に介在可能な第一の熱伝導部と、当該第一の熱伝導部に連設され前記第二の面に沿う方向に延在する第１熱伝導面と当該第１熱伝導面に連設され前記第二のホルダ部に沿う方向に延在する第２熱伝導面とを含む第二の熱伝導部と、で構成される熱伝導部材と、
を備える、電子機器。
【発明の詳細な説明】
【技術分野】
【０００１】
本発明の実施形態は、カメラモジュール組立体および電子機器に関する。
【背景技術】
【０００２】
従来、電子機器である情報処理装置の一つとして普及しているパーソナルコンピュータ（ＰＣ）の態様として、大別して、いわゆる、デスクトップタイプと、ノートタイプがある。そして、近年の傾向として、情報処理装置の表示部である表示装置（モニタ）に撮像部（カメラ、カメラモジュール）を備えるものが増えている。カメラモジュールは、例えば、テレビ会議システムやテレビ電話システムにおいて、情報処理装置の利用者（被撮像体）の顔等を撮像し、ネットワークに接続された他者と画像共有を行ったり、資料等を撮像して他者と共有したりすることを可能にしている。上述したようカメラモジュールは、非使用時に、例えば、表示装置の額縁の内部に収納され、表示装置の意匠性の向上を図っている場合がある。そして、利用者が、カメラモジュールを使用する場合は、額縁からカメラモジュールを引き出す操作を行うことで、カメラによる撮影処理を実行可能な状態にしている。
【先行技術文献】
【特許文献】
【０００３】
【特許文献１】特開２０１８−１４８３６１号公報
【発明の概要】
【発明が解決しようとする課題】
【０００４】
しかしながら、上述したように、カメラモジュールを使用時に額縁から引き上げる構造の場合、使用の都度、額縁からカメラモジュールを引き上げる操作が必要になり、利用者に煩わしさを与える可能性がある。また、使用時のカメラモジュールの突出は収納時に比べて意匠性を低下させてしまう場合がある。そこで、カメラモジュールを額縁に収納した状態のまま、カメラを利用可能にすることが考えられるが、近年の傾向として狭額縁化がある。つまり、額縁を細くすることで、表示装置を大型化することなく表示領域を広げるような構造が増えている。その結果、カメラモジュールを構成する基板や基板に搭載されるカメラユニット等も狭額縁に対応し細く、小型化せざるを得ない。この場合、カメラモジュールを狭額縁の裏面側から挿入し、カメラモジュールを狭額縁の前面側に露出させる必要があるが、カメラモジュールは狭い額縁空間に収められるため、カメラモジュールを構成する部品から発生する熱を放熱し難いという問題があった。
【０００５】
従って、本発明が解決する課題の一例は、表示部の縁部に設けられる額縁に組付けるカメラモジュールの放熱を効率よく行うことのできるカメラモジュール組立体およびそのような組立体を備える電子機器を提供することである。
【課題を解決するための手段】
【０００６】
本発明の第１態様に係るカメラモジュール組立体は、カメラユニットを実装するカメラ基板と、第一の面と当該第一の面に対向する第二の面とを跨ぐ第三の面に前記カメラ基板を固定し、表示部の縁部に設けられる額縁に裏面側から奥行き方向に挿入可能で前記カメラユニットを前記額縁の表面側に位置させる第一のホルダ部と、当該第一のホルダ部に対して、前記奥行き方向とは異なる方向に延在する第二のホルダ部と、で構成されるカメラホルダと、前記カメラ基板と前記第三の面との間に介在可能な第一の熱伝導部と、当該第一の熱伝導部に連設され前記第二の面に沿う方向に延在する第１熱伝導面と当該第１熱伝導面に連設され前記第二のホルダ部に沿う方向に延在する第２熱伝導面とを含む第二の熱伝導部と、で構成される熱伝導部材と、を備える。
【０００７】
本発明の第２態様に係る電子機器は、表示部と、カメラユニットを実装するカメラ基板と、第一の面と当該第一の面に対向する第二の面とを跨ぐ第三の面に前記カメラ基板を固定し、前記表示部の縁部に設けられる額縁に裏面側から奥行き方向に挿入可能で前記カメラユニットを前記額縁の表面側に位置させる第一のホルダ部と、当該第一のホルダ部に対して、前記奥行き方向とは異なる方向に延在する第二のホルダ部と、で構成されるカメラホルダと、前記カメラ基板と前記第三の面との間に介在可能な第一の熱伝導部と、当該第一の熱伝導部に連設され前記第二の面に沿う方向に延在する第１熱伝導面と当該第１熱伝導面に連設され前記第二のホルダ部に沿う方向に延在する第２熱伝導面とを含む第二の熱伝導部と、で構成される熱伝導部材と、を備える。
【発明の効果】
【０００８】
本発明の上記態様によれば、第一の面と第二の面とを跨ぐ第三の面に固定されたカメラユニット（カメラ基板側）で発生した熱は、カメラ基板と第三の面との間に介在する第一の熱伝導部を介して第二のホルダ部に沿う方向に延在する第二の熱伝導部に伝達される。したがって、額縁の裏面側から前面側に挿入されたカメラユニットで発生した熱を第三の面とは異なる方向に延在する第二のホルダ部が存在する方向に輸送し、放熱させることができる。
【図面の簡単な説明】
【０００９】
【図１】図１は、実施形態にかかるカメラモジュール組立体を適用可能な電子機器の一例である情報処理装置（ＰＣ）の外観を説明する例示的かつ模式的な正面斜視図である。
【図２】図２は、実施形態にかかるカメラモジュール組立体の例示的かつ模式的な正面拡大図である。
【図３】図３は、実施形態にかかるカメラモジュール組立体を適用した情報処理装置のリアカバーを外した状態を示す例示的かつ模式的な背面斜視図である。
【図４】図４は、実施形態にかかるカメラモジュール組立体の構成を示す例示的かつ模式的な分解斜視図である。
【図５】図５は、実施形態にかかるカメラモジュール組立体を、図４とは異なる方向から見た場合の構成を示す例示的かつ模式的な分解斜視図である。
【図６】図６は、実施形態にかかるカメラモジュール組立体の完成形態を情報処理装置の額縁に装着する様子を示す例示的かつ模式的な斜視図である。
【発明を実施するための形態】
【００１０】
以下、本発明の例示的な実施形態が開示される。以下に示される実施形態の構成、ならびに当該構成によってもたらされる作用、結果、および効果は、一例である。本発明は、以下の実施形態に開示される構成以外によっても実現可能であるとともに、基本的な構成に基づく種々の効果や、派生的な効果のうち、少なくとも一つを得ることが可能である。
【００１１】
図１は、実施形態にかかるカメラモジュール組立体１０を適用可能な電子機器の一例である情報処理装置１２（パーソナルコンピュータ：ＰＣ）の外観を示す例示的かつ模式的な正面斜視図である。なお、図１は、情報処理装置１２の一例として、ＰＣ本体部と表示装置１４とが一体化された、いわゆる、オールインワンタイプのデスクトップ型ＰＣを示している。この場合、情報処理装置１２全体を電子機器と称する。また、ＰＣ本体部と表示装置１４とが電気的に接続されているが、筐体としては分離された分離タイプの場合、表示装置１４のみを電子機器と称する場合がある。
【００１２】
本実施形態の表示装置１４は、表示部１４ａの外縁部である額縁１６を正面視した場合に、その面積を極力小さくすることにより、表示装置１４の外形サイズを拡大することなく、表示部１４ａの有効面積（表示面積）を拡大する、いわゆる「狭額縁タイプの表示装置」である。図１の場合、表示装置１４は、例えば、２４インチ相当のサイズで、上部の額縁１６の矢印Ｙ方向の長さ（額縁幅）は、例えば、数ｍｍ〜５ｍｍ程度である。カメラモジュール組立体１０は、上部の額縁１６のほぼ中央の位置で、矢印Ｘ方向に延設された開口部１６ａに表示装置１４の裏面側から装着されている。
【００１３】
図２は、カメラモジュール組立体１０の例示的かつ模式的な正面図である。カメラモジュール組立体１０は、可視光画像を撮像する第１カメラ１８が、カメラモジュール組立体１０の図中矢印Ｘ方向のほぼ中央部に配置され、当該カメラモジュール組立体１０の側方（例えば右側方）に、近赤外域の主として認証用の画像を撮像する第２カメラ２０が配置されている。第１カメラ１８および第２カメラ２０は、例えば、ＣＣＤ（Charge  Coupled  Device）やＣＩＳ（CMOS  image  sensor）等の撮像素子を内蔵するデジタルカメラである。第１カメラ１８および第２カメラ２０は、所定のフレームレートで動画データ（撮像画像データ、画像情報）を出力することができる。なお、第１カメラ１８、第２カメラ２０、近赤外線照射部２０ａ（第２カメラ２０に対する撮像用の発光部）等の撮像関連部品をまとめて「カメラユニットＣ」と称する場合もある。
【００１４】
第１カメラ１８は、赤外光領域をカットするフィルタを備え、第２カメラ２０の撮像の結果、情報処理装置１２が正規ユーザの認証を完了させた後に、ユーザの操作に基づいて、例えば、人物や風景等の可視光画像の撮像を行う場合に利用される。なお、情報処理装置１２が認証処理を行うのに先立ち、周囲の明るさが認証に適した明るさであるか否かを判定するために、周囲の明るさを示す可視光画像を、ユーザの操作に拘わらず撮像するようにしてもよい。
【００１５】
第２カメラ２０は、可視光域をカットするフィルタを備え、例えば、波長域が７８０ｎｍ〜２５００ｎｍの近赤外域の画像を撮像する。第２カメラ２０は、カメラモジュール組立体１０の矢印Ｘ方向の左右端側に配置された近赤外線照射部２０ａ（例えば、赤外ＬＥＤ）が照射する近赤外光が対象物、この場合、情報処理装置１２を利用する人間（主に表示装置１４を覗き込んでいる、表示装置１４に対面している人間）の顔で反射した近赤外光に基づく画像を撮像する。第２カメラ２０は、主に顔認証や虹彩認証を行う場合にのみ、撮像を行う。したがって、近赤外線照射部２０ａも第２カメラ２０が撮像を行うタイミングに合わせて、近赤外光を照射する。
【００１６】
第１カメラ１８、第２カメラ２０、近赤外線照射部２０ａ等で構成されるカメラユニットＣは、後述する、矢印Ｘ方向に細長いカメラ基板上に実装される。カメラモジュール組立体１０は、第１カメラ１８、第２カメラ２０、近赤外線照射部２０ａのみが額縁１６から露出するように、カメラ基板をカメラカバー１０ａで覆っている。図１、図２に示されるように、カメラ基板、第１カメラ１８、第２カメラ２０、近赤外線照射部２０ａを備えるカメラモジュール組立体１０は、額縁１６の図中矢印Ｙ方向の幅に納まる細形であり、上述のように、第１カメラ１８、第２カメラ２０、近赤外線照射部２０ａが額縁１６の表面に常時露出した状態である。この場合、額縁１６を構成する材質（例えば樹脂材料）の色や質感と、カメラカバー１０ａを構成する材料の色や質感とを一致または類似させておくことにより、カメラモジュール組立体１０と額縁１６との一体感が増し、カメラモジュール組立体１０が目立ち難くなり、情報処理装置１２の意匠性を向上することができる。また、第１カメラ１８、第２カメラ２０、近赤外線照射部２０ａが常時露出しているので、従前のようにカメラモジュールの引き出しや収納の操作が不要となり、使い勝手の向上ができる。
【００１７】
ところで、上述したように、認証のために近赤外光画像をする場合、近赤外線照射部２０ａが近赤外光を照射するが、登録された正規ユーザの参照用赤外画像と比較するための赤外画像（認証の都度に撮像する赤外画像）を取得する場合、連続的または断続的に数分間、近赤外線照射部２０ａによる近赤外光の照射が行われる場合がある。同様に、初期設定時に、正規ユーザを登録するための参照用赤外画像を取得する場合、連続的または断続的に数十分間、近赤外線照射部２０ａによる近赤外光の照射が行われる場合がある。このように長期間の赤外光の照射が行われると、近赤外線照射部２０ａ自体が発熱し温度が上昇する他、近赤外線照射部２０ａを駆動するための制御回路や電源等からの発熱により温度が上昇し、結果的にカメラユニットＣ全体の温度が上昇してしまう場合がある。カメラユニットＣおよび情報処理装置１２を正常に動作させるためには、温度上昇を所定の規格値以内に抑える必要があり、放熱路（熱伝導路）の確保が重要になる。以下、カメラモジュール組立体１０において放熱路（熱伝導路）を確保するための構成の一例を説明する。
【００１８】
図３は、カメラモジュール組立体１０を適用した情報処理装置１２のリアカバーを外した状態を示す例示的かつ模式的な背面斜視図である。図３の上部中央には、カメラ基板（カメラユニットＣ）を支持するカメラホルダ２２の背面（カメラ基板を支する面とは逆側の面）が露出した状態が示されている。後述するが、図３に示されるように、カメラホルダ２２は、略Ｌ字形状の部品で、Ｌ字を構成する一方の端部にカメラ基板を固定した状態で、表面側（紙面裏面側）に額縁１６を支持するフロントカバー２４（シャーシ）の裏面側に形成される隙間Ｓに挿入される。そして、カメラホルダ２２（カメラモジュール組立体１０）は、フロントカバー２４の裏面側に、例えばねじ等の締結部材２６によって固定される。
【００１９】
上述したように、カメラホルダ２２には、カメラ基板（カメラユニットＣ）が固定される。そして、カメラユニットＣに対して信号や電力の供給を行うカメラケーブル２８が接続されている。後述するが、カメラケーブル２８の一端は、カメラ基板に設けられた第一のコネクタに接続される第二のコネクタが設けられ、カメラケーブル２８の他端には、メインボード接続コネクタ３０が設けられている。メインボード接続コネクタ３０は、情報処理装置１２全体の制御を行うメインボード３２に接続される。なお、情報処理装置１２の内部には、メインボード３２の他、通信を行う通信ボードや記憶装置、電源ユニット等多数のユニットが搭載されているが、本実施形態のカメラモジュール組立体１０には、直接的には関連しないので、その説明は省略する。
【００２０】
図３に示されるように、カメラモジュール組立体１０（カメラホルダ２２）の周辺は部品が密集し、近赤外線照射部２０ａ等の発熱部品を含むカメラユニットＣで発生した熱がカメラモジュール組立体１０の周辺でこもりやすく、カメラモジュール組立体１０の温度が上昇し易くなっている。そこで、本実施形態のカメラモジュール組立体１０は、カメラホルダ２２がカメラユニットＣで発生した熱を効率よく熱伝導し、放熱し易い構造を備える。
【００２１】
図４は、カメラモジュール組立体１０の構成を示す例示的かつ模式的な分解斜視図であり、カメラユニットＣの前面側右斜め上方から見下ろした場合の分解斜視図である。また、図５は、カメラモジュール組立体１０を、図４とは異なる方向、例えば、カメラユニットＣの前面右側斜め下方から見上げた場合の分解斜視図である。
【００２２】
カメラモジュール組立体１０は、カメラホルダ２２、カメラ基板３４、熱伝導部材３６、熱伝導補助部材３８、カメラケーブル２８等で構成される。熱伝導部材３６は、カメラホルダ２２とカメラ基板３４との間に装着され、カメラホルダ２２が熱伝導部材３６を介してカメラ基板３４を支持することにより、カメラ基板３４側（カメラユニットＣ）で発生した熱をカメラホルダ２２側に輸送し、適宜放熱させる。以下、カメラモジュール組立体１０の各部材の構成を詳細に説明する。
【００２３】
カメラホルダ２２は、例えば射出成形等で形成された、矢印Ｘ方向、つまり、カメラモジュール組立体１０の延在方向に長い部品である。カメラホルダ２２は、図４、図５に示されるように、第一のホルダ部２２ａと、当該第一のホルダ部２２ａに対して、奥行き方向（矢印Ｚ方向）とは異なる方向に延在する第二のホルダ部２２ｂとで構成される、矢印Ｙ−Ｚ方向に沿う面の断面形状が、例えば、略Ｌ字形状の部品である。そして、カメラホルダ２２の略Ｌ字形状のうち、矢印Ｚ方向に延びる第一のホルダ部２２ａが、図３に示されるように、情報処理装置１２の裏面側から、上部の額縁１６の奥行き方向（Ｚ方向）に挿入可能に構成されている。
【００２４】
カメラホルダ２２は、図４、図５に示されるように、第一のホルダ部２２ａを構成する第一の面２２ａａと当該第一の面２２ａａに対向する第二の面２２ａｂとを矢印Ｙ方向に跨ぎ、矢印Ｘ方向に広がる第三の面２２ａｃに、カメラ基板３４を固定する。つまり、カメラホルダ２２（第一のホルダ部２２ａ）は、情報処理装置１２に組み付けられた場合に、情報処理装置１２の表面側に向く厚み部分にカメラ基板３４（カメラユニットＣ）を固定する。この場合、第三の面２２ａｃの矢印Ｙ方向の距離（厚み）は、カメラ基板３４の矢印Ｙ方向の幅と同等か僅かに長く形成されている。その結果、カメラホルダ２２は、カメラ基板３４（カメラユニットＣ）を効率的かつ安定的に支持、固定することができる。
【００２５】
カメラ基板３４は、例えば一般的なプリント基板であり、上述するように、第１カメラ１８、第２カメラ２０、近赤外線照射部２０ａ等を実装する矢印Ｘ方向に細長い部品である。また、カメラ基板３４は、第１カメラ１８、第２カメラ２０、近赤外線照射部２０ａ等と電気的な接続を行うための第一のコネクタ４０を例えば、カメラ基板３４の端部に実装する。また、カメラ基板３４は、第１カメラ１８、第２カメラ２０、近赤外線照射部２０ａ等を制御するための各種回路が実装されている。その回路は、ノイズ等から保護するためのシールド３４ａで覆われている。さらに、カメラ基板３４には、マイク等を実装する場合に利用するマイク実装領域４２を備える。図４、図５は、マイクが非実装の状態を示している。また、マイクを実装しない仕様の場合には、マイク実装領域４２を省略してもよい。
【００２６】
前述したように、カメラモジュール組立体１０は、矢印Ｙ方向の幅の狭い額縁１６に組み付けられるため、カメラ基板３４に実装される各部品は、矢印Ｘ方向に配列され、矢印Ｙ方向の幅が増大することが抑制されている。
【００２７】
第１カメラ１８、第２カメラ２０、第一のホルダ部２２ａ等は、第一のコネクタ４０、カメラケーブル２８、メインボード接続コネクタ３０を介して、外部（メインボード３２）と接続され、信号の送受や電力の供給を受けるが、上述したように、カメラ基板３４（カメラモジュール組立体１０）は、狭い額縁１６に配置される。そのため、第一のコネクタ４０もカメラ基板３４に収める必要があり、矢印Ｙ方向の幅が狭く矢印Ｘ方向に細長い形状になる。その結果、カメラケーブル２８に設けられた第二のコネクタ４４と第一のコネクタ４０とを、相互の接合力によってのみ接続する場合は、安定性に欠け、接続姿勢を例えば水平に維持することが難しい場合がある。
【００２８】
そこで、本実施形態のカメラモジュール組立体１０は、カメラ基板３４に設けられた第一のコネクタ４０と、カメラケーブル２８に設けられた第二のコネクタ４４とが接続された状態を、第二のコネクタ４４の裏面側から支持して維持する支持部材４６を備える。この支持部材４６は、カメラホルダ２２のカメラ基板３４の固定位置から表示装置１４の幅方向（Ｘ方向）にずれた位置に形成された取付領域部４８と少なくとも一部が接触するように構成されている。
【００２９】
図４、図５に示されるように、支持部材４６は、カメラケーブル２８の一部として構成されている。カメラケーブル２８は、周知のＦＰＣ（Flexible  Printed  Circuits）で構成可能な長尺のケーブルであり、一端側に第一のコネクタ４０と接続可能な第二のコネクタ４４を備え、他端側にメインボード３２側（図３参照）と接続可能なメインボード接続コネクタ３０（図４、図５では図示省略）を備えている。カメラケーブル２８の延在方向の形状は、カメラ基板３４を固定したカメラホルダ２２が情報処理装置１２に組み付けられた状態の第一のコネクタ４０の位置と、メインボード３２側のメインボード接続コネクタ３０が接続される位置とにしたがい決定される。
【００３０】
図４、図５に示されるように、カメラケーブル２８の一方の面に固定された第二のコネクタ４４の位置に対応するカメラケーブル２８の他方の面に、硬質材料で形成された支持部材４６が固定されている。つまり、カメラケーブル２８を挟んで第二のコネクタ４４の裏側に、支持部材４６が固定されている。支持部材４６は、例えば、カメラ基板３４と同様なプリント基板で構成されてもよいし、樹脂材料や金属材料で構成されてもよい。支持部材４６を金属材料で構成する場合は、支持部材４６とカメラケーブル２８との間に絶縁シート等の絶縁部材を介在させて絶縁を確保する。
【００３１】
支持部材４６は、カメラケーブル２８（第二のコネクタ４４）の矢印Ｘ方向の幅より矢印Ｘ方向に長く延びた、サポート部４６ａを備える。そして、このサポート部４６ａが、カメラホルダ２２に形成された取付領域部４８に接触（好ましくは、密着）する。
【００３２】
図６は、カメラモジュール組立体１０の完成形態を情報処理装置１２の額縁１６に装着する様子を示す例示的かつ模式的な斜視図である。図６に示されるように、支持部材４６のサポート部４６ａは、取付領域部４８と接触することにより、第一のコネクタ４０に第二のコネクタ４４が実質的に水平に接続された状態を支持する。この場合、カメラホルダ２２の取付領域部４８は、図５に示されるように、第三の面２２ａｃから矢印Ｚ方向に例えば突出形成されている。取付領域部４８の突出高さＨは、第一のコネクタ４０に第二のコネクタ４４が実質的に水平に接続された状態を支持する支持部材４６（サポート部４６ａ）が接触し、水平な接続状態を維持する高さに設定されている。つまり、第一のコネクタ４０と第二のコネクタ４４とが正常に接続された水平姿勢に適合するように取付領域部４８の高さが設定されている。その結果、第一のコネクタ４０と第二のコネクタ４４との接続姿勢の水平度をより高精度に維持し、第一のコネクタ４０と第二のコネクタ４４との接続の安定性をより向上することができる。
【００３３】
なお、支持部材４６において、カメラケーブル２８の非接触面側には、軟質ゴムや樹脂等の弾性を備えるクッション材（不図示）が設けられている。第一のコネクタ４０と第二のコネクタ４４とを接続する作業を行う際に、クッション材を介して押圧することにより、押圧力の偏りを緩和し、第一のコネクタ４０と第二のコネクタ４４とを水平姿勢で接続し易くしている。また、第一のコネクタ４０と第二のコネクタ４４とを接続する作業を行う際に、過度の力が加わり、第一のコネクタ４０や第二のコネクタ４４を破損することを抑制することができる。なお、支持部材４６のサポート部４６ａが取付領域部４８に当接することにより、支持部材４６および取付領域部４８がストッパとして作用し、第一のコネクタ４０と第二のコネクタ４４の接続深さを一定に保つことができる。例えば、第一のコネクタ４０と第二のコネクタ４４との接続深さが規定の状態より浅すぎたり、逆に深すぎたり（過度な力がかかる状態）を回避し、接続の信頼性の向上に寄与することができる。
【００３４】
上述したように、本実施形態のカメラモジュール組立体１０では、第一のコネクタ４０と第二のコネクタ４４との接続位置とは別に、支持部材４６（サポート部４６ａ）と取付領域部４８との接続位置を設けている。その結果、上述したように、第一のコネクタ４０と第二のコネクタ４４との水平姿勢での接続を実現し易くなると共に、例えば、情報処理装置１２に振動や衝撃が加わった場合でも、第一のコネクタ４０と第二のコネクタ４４との水平姿勢を維持し易くなる。したがって、信頼性の維持、向上にも寄与することができる。
【００３５】
図４、図５に戻り、熱伝導部材３６は、熱伝導率の高い熱伝導材料、例えば、アルミニウム等の金属板に曲げ加工等を施して形成した薄板部材で、少なくとも第一の熱伝導部３６ａと第二の熱伝導部３６ｂとで構成されている。
【００３６】
第一の熱伝導部３６ａは、カメラ基板３４とカメラホルダ２２の第三の面２２ａｃのとの間に介在可能な部分である。第一の熱伝導部３６ａは、矢印Ｘ方向に延在するとともに矢印Ｙ方向の幅が、カメラ基板３４の矢印Ｙ方向の幅と同等または僅かに広く形成された、カメラ基板３４に裏面（カメラユニットの非搭載面）と接触、望ましくは密着可能な扁平な部分である。第一の熱伝導部３６ａは、カメラ基板３４の裏面の全領域と接触する面積を備えることが望ましい。
【００３７】
第二の熱伝導部３６ｂは、第一の熱伝導部３６ａに連設されて少なくとも一部がカメラホルダ２２の第二のホルダ部２２ｂに沿う方向に延在する部分である。さらに具体的には、第二の熱伝導部３６ｂは、第一のホルダ部２２ａの第二の面２２ａｂに沿って延在される第１面３６ｂａ（第１熱伝導面）とカメラホルダ２２の第二のホルダ部２２ｂに沿う方向に延在する第２面３６ｂｂ（第２熱伝導面）とで構成されている。つまり、第２面３６ｂｂは、額縁１６の背面側の隙間Ｓ（図３参照）に挿入されたカメラユニットＣで発生した熱を第一の熱伝導部３６ａを介して、隙間Ｓとは異なる、より広い位置（空間）に輸送する。第２面３６ｂｂは、第一の熱伝導部３６ａに比べて広い面積で形成されて熱勾配を高め、第一の熱伝導部３６ａから効率的に熱を輸送できるようにしている。第２面３６ｂｂは、熱伝導部材３６がカメラホルダ２２に組み付けられた場合に、第二のホルダ部２２ｂの内壁面２２ｂｂ（略Ｌ字形状の屈曲部内側）と接触する。
【００３８】
図３および図６に示されるように、カメラモジュール組立体１０が情報処理装置１２に装着される場合、カメラホルダ２２の内壁面２２ｂｂが第２面３６ｂｂを介してフロントカバー２４（シャーシ）の裏面側に接触した状態で、締結部材２６等によって固定される。その結果、額縁１６の裏面側の狭い隙間Ｓに配置されるカメラユニットＣで発生した熱を、カメラ基板３４を支持するカメラホルダ２２の第三の面２２ａｃ（カメラホルダ２２の厚み部分）に対応する位置に設けられた熱伝導部材３６の第一の熱伝導部３６ａを介して、第一の熱伝導部３６ａより面積が大きい第二の熱伝導部３６ｂにスムーズに熱輸送する。そして、第二の熱伝導部３６ｂは、フロントカバー２４側、つまり、情報処理装置１２の本体にさらに熱輸送し、効率的にカメラユニットＣで発生した熱を放熱することができる。なお、第二の熱伝導部３６ｂの第２面３６ｂｂは、額縁１６の裏面側の狭い隙間Ｓで熱伝導を行う第一の熱伝導部３６ａに比べて、面積が大きいため、十分な熱伝導路（放熱路）を確保できると共に、フロントカバー２４（シャーシ）との接続および固定を安定した姿勢で行うことができる。この点においても放熱性の向上に寄与することができる。
【００３９】
また、熱伝導部材３６は、第一の熱伝導部３６ａに連設されて、第一のホルダ部２２ａの第一の面２２ａａに沿って延在される第三の熱伝導部３６ｃを含む。図４、図５に示されるように、第三の熱伝導部３６ｃと第一の熱伝導部３６ａと第二の熱伝導部３６ｂの第１面３６ｂａとで、矢印Ｙ−Ｚ方向の面に沿う断面形状が、略Ｕ字形状の挟持部Ｋを形成している。この挟持部Ｋを用いてカメラホルダ２２の第一のホルダ部２２ａを表裏から挟み込む。この挟持部Ｋにより、熱伝導部材３６は、カメラホルダ２２に安定的かつ正確に支持固定されることが可能になる。なお、第三の熱伝導部３６ｃは、第一の熱伝導部３６ａに比べて、面積が大きいため、第一の熱伝導部３６ａに伝わった熱を、第一の熱伝導部３６ａ以外の部分に迅速に移動させる熱伝導路として機能することができる。すなわち、第一の熱伝導部３６ａにおけるカメラ基板３４からの熱伝導効率を向上させることができる。
【００４０】
また、カメラホルダ２２の第三の面２２ａｃの例えば、矢印Ｘ方向の両端部には、位置決めピン２２ｃが形成され、熱伝導部材３６の第一の熱伝導部３６ａの対応する位置に形成された位置決め穴３６ｄ、およびカメラ基板３４の対応する位置に形成された位置決め穴３４ｂに挿入可能である。したがって、カメラホルダ２２に対して、熱伝導部材３６およびカメラ基板３４の組付け、および位置決めを容易に行うことができる。さらに、図４に示されるように、熱伝導部材３６の第三の熱伝導部３６ｃの例えば矢印Ｘ方向の両端部および略中央部には、固定用穴３６ｅが形成され、熱伝導部材３６を第一のホルダ部２２ａに装着した際に、カメラホルダ２２の第一の面２２ａａの対応する位置に設けられた固定凸部２２ｄと嵌合させることができる。固定凸部２２ｄは、例えば溶着用の突起で固定用穴３６ｅと嵌合した後に、変形させることにより、カメラホルダ２２と熱伝導部材３６の固定を行う。その結果、カメラホルダ２２に対して熱伝導部材３６を介して支持されるカメラ基板３４の位置決めを保証する。その結果、カメラホルダ２２に対する熱伝導部材３６を介したカメラ基板３４の固定位置（固定姿勢）の維持および固定信頼性の向上を容易に行うことができる。
【００４１】
ところで、近赤外線照射部２０ａにより近赤外光が照射される場合、近赤外線照射部２０ａの駆動により近赤外線照射部２０ａ自体および近赤外線照射部２０ａを駆動するための制御回路や電源部分で発熱する。また、それに加え、照射した近赤外光によって、照射面の周辺（カメラ基板３４と接触しない側）の温度が高くなる場合がある。そこで、カメラモジュール組立体１０は、近赤外線照射部２０ａ（発光部）の照射面側の周囲を少なくとも覆う熱伝導補助部材３８を備える。熱伝導補助部材３８は、近赤外線照射部２０ａ（発光部）の照射面側の周囲を少なくとも覆う前面接触部３８ａと、前面接触部３８ａに連設されて熱伝導部材３６に接続可能な接続部３８ｂを備える。本実施形態の熱伝導補助部材３８は、例えば、図４、図５に示されるように、前面接触部３８ａの矢印Ｙ方向の上下縁部に接続部３８ｂが連設された、矢印Ｙ−Ｚ方向の断面形状が略Ｕ字形状の部品である。熱伝導補助部材３８は、面方向の熱伝導率が高い、例えば、グラファイト製のシートで形成されている。熱伝導補助部材３８は、近赤外線照射部２０ａの照射面側で発生している熱を熱伝導部材３６に輸送し、熱伝導部材３６からフロントカバー２４側に放熱することができる。すなわち、カメラモジュール組立体１０のカメラカバー１０ａ側における温度上昇を効果的に抑制することができる。
【００４２】
このように、本実施形態のカメラモジュール組立体１０によれば、狭い額縁１６の裏面側の狭い隙間Ｓに配置されるカメラ基板３４に支持されるカメラユニットＣで発生した熱を、熱伝導部材３６の第一の熱伝導部３６ａを介して、また、熱伝導補助部材３８を介して、第一の熱伝導部３６ａより面積が大きい第二の熱伝導部３６ｂにスムーズに運搬することがでる。そして、熱伝導部材３６が熱的に接続されたフロントカバー２４（シャーシ）に効率的に放熱して、狭い隙間Ｓに配置されるカメラモジュール組立体１０（カメラユニットＣ、カメラ基板３４）における温度上昇を効率的に抑制することができる。
【００４３】
なお、本実施形態では、熱伝導補助部材３８を近赤外線照射部２０ａに対応して設ける例を示したが、カメラユニットＣの前面側で温度抑制が必要な部分であれば、同様に熱伝導補助部材３８を配置してもよい。その場合、例えば、第１カメラ１８や第２カメラ２０の撮像面や近赤外線照射部２０ａの照射面を切り欠いた矢印Ｘ方向に延在する細長いシート状の熱伝導補助部材を用いてもよい。
【００４４】
ところで、カメラユニットＣの高性能化に伴い、カメラユニットＣからの電波ノイズの発生が電磁波に係る規制をクリアする必要がある。その一方で、カメラモジュール組立体１０は、矢印Ｙ方向の幅の狭い額縁１６に組み付けられるため、カメラ基板３４の矢印Ｙ方向の幅も額縁１６に対応して細く、矢印Ｘ方向に長くなる。カメラ基板３４に実装されるカメラユニットＣの電波ノイズ対策は、カメラケーブル２８を介して情報処理装置１２側に接地することができるが、カメラケーブル２８のみでは不十分な場合がある。本実施形態のカメラモジュール組立体１０では、熱伝導部材３６を導電性材料、例えばアルミニウム等で構成されている。そして、カメラ基板３４の背面（カメラユニットＣの非実装面）には、カメラユニットＣの制御に必要な配線パターンの配置領域以外の領域に接地用銅パターンを設け、当該設置用銅パターンと熱伝導部材３６とが導通可能となるようにしている。前述したように、熱伝導部材３６は、例えば、第２面３６ｂｂが情報処理装置１２のフロントカバー２４（シャーシ）に接続されている。したがって、例えば、シールド３４ａで覆われた部分を、熱伝導部材３６を介して情報処理装置１２側に接地し、電波ノイズ対策を強化することができる。このように、熱伝導部材３６は、熱伝導によるカメラユニットＣの温度上昇の抑制、緩和および電波ノイズ対策を合わせて行うことができる。
【００４５】
このように、本実施形態のカメラモジュール組立体１０は、カメラ基板３４と、カメラホルダ２２と、熱伝導部材３６とを備える。カメラ基板３４は、カメラユニットＣを実装する。カメラホルダ２２は、第一の面２２ａａと当該第一の面２２ａａに対向する第二の面２２ａｂとを跨ぐ第三の面２２ａｃにカメラ基板３４を固定し、表示部１４ａの縁部に設けられる額縁１６に裏面側から奥行き方向（矢印Ｚ方向）に挿入可能でカメラユニットＣを額縁１６の表面側に位置させる第一のホルダ部２２ａと、当該第一のホルダ部２２ａに対して、奥行き方向とは異なる方向に延在する第二のホルダ部２２ｂと、で構成される。熱伝導部材３６は、カメラ基板３４と第三の面２２ａｃとの間に介在可能な第一の熱伝導部３６ａと、当該第一の熱伝導部３６ａに連設された少なくとも一部が第二のホルダ部２２ｂに沿う方向に延在する第二の熱伝導部３６ｂと、で構成される。この構成によれば、第一の面２２ａａと第二の面２２ａｂとを跨ぐ第三の面２２ａｃに固定されたカメラユニットＣ（カメラ基板３４側）で発生した熱は、カメラ基板３４と第三の面２２ａｃとの間に介在する第一の熱伝導部３６ａを介して第二のホルダ部２２ｂに沿う方向に延在する第二の熱伝導部３６ｂに伝達される。したがって、額縁１６の裏面側から前面側に挿入されたカメラユニットＣで発生した熱を第三の面２２ａｃとは異なる方向に延在する第二のホルダ部２２ｂが存在する方向に輸送し、放熱させることができる。
【００４６】
また、熱伝導部材３６は、導電性材料で形成されてもよい。この構成によれば、熱伝導部材３６を、カメラ基板３４側を接地させるために利用することが可能となり、カメラ基板３４に実装されるカメラユニットＣの電波ノイズ対策を容易に行うことができる。
【００４７】
また、第二の熱伝導部３６ｂは、表示部１４ａを支持するシャーシと接続される。この構成によれば、カメラユニットＣで発生した熱をシャーシ側に放熱させることができるとともに、カメラ基板３４をシャーシ側に接地してカメラユニットＣの電波ノイズ対策を同時に、シンプルな構成で行うことができる。
【００４８】
また、熱伝導部材３６は、第一の熱伝導部３６ａに連設され第一のホルダ部２２ａの第一の面２２ａａに固定される第三の熱伝導部３６ｃを、さらに備え、第二の熱伝導部３６ｂは、少なくとも一部が第一のホルダ部２２ａの第二の面２２ａｂに接触し、第三の熱伝導部３６ｃとともに、第一のホルダ部２２ａを挟持してもよい。この構成によれば、熱伝導部材３６は、カメラホルダ２２の第一のホルダ部２２ａを表裏から挟み込み、熱伝導部材３６を第三の熱伝導部３６ｃを介してカメラホルダ２２に固定することができる。その結果、カメラホルダ２２に対して熱伝導部材３６を介して支持されるカメラ基板３４の位置決めを高精度に行い、その固定位置（姿勢）を維持することができる。
【００４９】
また、カメラユニットＣは、第２カメラ２０用の近赤外線照射部２０ａを含み、近赤外線照射部２０ａの照射面側の周囲を少なくとも覆う前面接触部３８ａと、熱伝導部材３６に接続可能な接続部３８ｂを備える熱伝導補助部材３８を備えてもよい。この構成によれば、例えば、熱伝導補助部材３８により、近赤外線照射部２０ａの照射面側で発生している熱を熱伝導部材３６に輸送することができる。その結果、カメラモジュール組立体１０のカメラカバー１０ａにおける温度上昇を効果的に抑制することができる。
【００５０】
なお、上述した実施形態では、電子機器の一例として、ＰＣ本体と表示装置１４とが一体化された、いわゆるオールインワンタイプのデスクトップ型ＰＣがカメラモジュール組立体１０を含む構成を示した。別の実施形態では、ＰＣ本体部と表示装置１４とが電気的に接続されるような分離タイプの表示装置１４（この場合、表示装置１４が電子機器）に上述したカメラモジュール組立体１０を適用してもよく、上述した実施形態と同様の効果を得ることができる。
【００５１】
実施形態の電子機器（例えば単体の表示装置１４）は、表示部１４ａと、カメラ基板３４と、カメラホルダ２２と、熱伝導部材３６とを備える。カメラ基板３４は、カメラユニットＣを実装する。カメラホルダ２２は、第一の面２２ａａと当該第一の面２２ａａに対向する第二の面２２ａｂとを跨ぐ第三の面２２ａｃにカメラ基板３４を固定し、表示部１４ａの縁部に設けられる額縁１６に裏面側から奥行き方向（矢印Ｚ方向）に挿入可能でカメラユニットＣを額縁１６の表面側に位置させる第一のホルダ部２２ａと、当該第一のホルダ部２２ａに対して、奥行き方向とは異なる方向に延在する第二のホルダ部２２ｂと、で構成される。熱伝導部材３６は、カメラ基板３４と第三の面２２ａｃとの間に介在可能な第一の熱伝導部３６ａと、当該第一の熱伝導部３６ａに連設された少なくとも一部が第二のホルダ部２２ｂに沿う方向に延在する第二の熱伝導部３６ｂと、で構成される。この構成によれば、第一の面２２ａａと第二の面２２ａｂとを跨ぐ第三の面２２ａｃに固定されたカメラユニットＣ（カメラ基板３４側）で発生した熱は、カメラ基板３４と第三の面２２ａｃとの間に介在する第一の熱伝導部３６ａを介して第二のホルダ部２２ｂに沿う方向に延在する第二の熱伝導部３６ｂに伝達される。したがって、額縁１６の裏面側から前面側に挿入されたカメラユニットＣで発生した熱を第三の面２２ａｃとは異なる方向に延在する第二のホルダ部２２ｂが存在する方向に輸送し、放熱させることができる。
【００５２】
なお、上述した実施形態では、デスクトップタイプの情報処理装置１２にカメラモジュール組立体１０を適用する例を示した。他の実施形態では、いわゆるノートタイプの情報処理装置にも、本実施形態のカメラモジュール組立体１０を適用してもよく、上述した実施形態と同様の効果を得ることができる。
【００５３】
また、上述した実施形態では、カメラホルダ２２の断面形状が、図４に示すように、略Ｌ字形状（略直角）としている例を示したが、フロントカバー２４に対するカメラホルダ２２の固定姿勢に応じて、適宜変更可能であり、第一のホルダ部２２ａに対して、奥行き方向（矢印Ｚ方向）とは異なる方向（非直角方向）に第二のホルダ部２２ｂが延在していてもよく、同様の効果を得ることができる。また、フロントカバー２４形状によっては、第二のホルダ部２２ｂを省略してもよい。
【００５４】
また、図１では、カメラモジュール組立体１０を情報処理装置１２の上部の額縁１６のほぼ中央に配置する例を示したが、カメラモジュール組立体１０は、額縁１６のいずれの位置に配置してもよく、同様の効果を得ることができる。
【００５５】
また、本実施形態では、熱伝導部材３６を、効率的な熱伝導を実現できるように、アルミニウム等の金属板で構成する例を示したが、熱伝導部材３６は、主として面方向の熱伝導ができれば、例えば、金属テープ等で構成してもよく、同様の効果を得るこができる。
【００５６】
また、本実施形態では、主として近赤外線照射部２０ａが熱源となる場合を示したが、カメラユニットＣからの発熱であれば、いずれの部品からの熱も同様に熱伝導可能であり、同様の効果を得ることができる。例えば、第２カメラ２０や近赤外線照射部２０ａは非搭載のカメラユニットＣにも適用可能であり、同様の効果を得ることができる。
【００５７】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００５８】
１０…カメラモジュール組立体、１２…情報処理装置、１４ａ…表示部、１６…額縁、１８…第１カメラ、２０…第２カメラ、２０ａ…近赤外線照射部、２２…カメラホルダ、２２ａ…第一のホルダ部、２２ａａ…第一の面、２２ａｂ…第二の面、２２ａｃ…第三の面、２２ｂ…第二のホルダ部、３４…カメラ基板、３６…熱伝導部材、３６ａ…第一の熱伝導部、３６ｂ…第二の熱伝導部、３６ｂａ…第１面、３６ｂｂ…第２面、３６ｃ…第三の熱伝導部、３８…熱伝導補助部材、３８ｂ…接続部。
【要約】
【課題】表示部の縁部に設けられる額縁に組付けるカメラモジュールの放熱を効率よく行うことのできるカメラモジュール組立体を提供する。
【解決手段】カメラモジュール組立体は、カメラユニットを実装するカメラ基板と、第一の面と当該第一の面に対向する第二の面とを跨ぐ第三の面に前記カメラ基板を固定し、表示部の縁部に設けられる額縁に裏面側から奥行き方向に挿入可能で前記カメラユニットを額縁の表面側に位置させる第一のホルダ部と、当該第一のホルダ部に対して、奥行き方向とは異なる方向に延在する第二のホルダ部と、で構成されるカメラホルダと、カメラ基板と第三の面との間に介在可能な第一の熱伝導部と、当該第一の熱伝導部に連設された少なくとも一部が第二のホルダ部に沿う方向に延在する第二の熱伝導部と、で構成される熱伝導部材と、を備える。
【選択図】図４【図１】
0006892622.tif 000002
【図２】
0006892622.tif 000003
【図３】
0006892622.tif 000004
【図４】
0006892622.tif 000005
【図５】
0006892622.tif 000006
【図６】
0006892622.tif 000007